(57)【特許請求の範囲】
【請求項１】
円柱状材料の外周面に長手軸線方向で開口し該外周面から半径方向に延びるように形成された溝の開口縁角部分にＲ面取りをするためのＲ面取り工具であって、
該溝内に該溝の該開口から挿入される突出部と、
該突出部の根本部分においてその両側面からそれぞれ凹状に湾曲しながら次第に側方に延びるＲ面取り用面、及び、該Ｒ面取り用面に続いて側方に延びる変形押圧面であって、該突出部を該溝内に挿入し、該Ｒ面取り用面を該開口縁角部分に押圧してＲ面取りを行ったときに、該突出部から側方に離れるに従って該円柱状材料に近づいて該面取りした部分よりも側方に離れた位置で該外周面に接するように角度付けられた変形押圧面、を有する工具本体と、
を有する溝の開口縁角部分のＲ面取り工具。
【請求項２】
該突出部の両側面を平滑な面とし、該両側面間の間隔が、該溝の幅よりも大きく、該突出部が該溝内に挿入されたときに、該両側面が該溝両側壁面を押圧して該溝側壁面を平滑にするようにした請求項１に記載のＲ面取り工具。
【請求項３】
該突出部の先端部を先細りとし、その先端面の幅を該溝の幅より小さくなるようにした請求項２に記載のＲ面取り工具。
【請求項４】
該Ｒ面取り工具が、
中心軸線を中心にした円形外周面を有する工具本体と、
該工具本体の該円形外周面の幅方向中央部分から当該工具本体の半径方向外側に突出して環状とされた該突出部と
を有し、
該環状とされた突出部の根本部分においてその両側面から側方に延びる該円形外周面に、該Ｒ面取り用面と該変形押圧面とを形成した、請求項１乃至３のいずれかに記載のＲ面取り工具。
【請求項５】
該変形押圧面が、該開口縁角部と平行に延びる線に沿って該円柱状材料の外周面と接するようにされた請求項１乃至４のいずかに記載のＲ面取り工具。
【発明の詳細な説明】
【技術分野】
【０００１】
本発明は、薄板状のベーンを半径方向で可動に保持しながら回転するロータを備えるベーン式エアモータなどの回転流体装置に関し、特に、ロータ素材としての円柱状材料に形成されるベーン収納溝の開口縁角部分に対してＲ面取りを行う工具に関する。
【背景技術】
【０００２】
ベーン式エアモータは、円筒状内周面によって画定されるロータ室を有するロータハウジングと、ロータ室に対し偏心させて回転可能に取り付けられたベーン付きロータと、を有し、ロータ室に圧搾空気を供給してベーン付きロータを回転し、当該エアモータの回転駆動力を生じるようになっている（特許文献１）。
【０００３】
ロータが回転する際、ベーンはロータに設けられたベーン収納溝内で半径方向に動き、ロータ室の内周面との摺動係合を保つ。従って、ベーンはベーン収納溝の側壁面、特に、ベーン収納溝の開口縁角部分との接触による大きな摩耗を受ける。下記特許文献２は、そのような摩耗を低減するために開口縁角部分にバニシング加工によってR面取りをする技術を開示している。
【先行技術文献】
【特許文献】
【０００４】
【特許文献１】特開２０１０−１５９６８９号
【特許文献２】特開２００９−２２０２２５号
【発明の概要】
【発明が解決しようとする課題】
【０００５】
特許文献２は、具体的には、回転可能とされた円筒状ローラと、該ローラの円筒状外周面の幅方向中央に設けられた環状の突出部とを備え、該突出部の側面と円筒状外周面とが凹状の曲面でつながるようにしたＲ面取り工具を開示している。この工具により、Ｒ面取りを行う場合、突出部を円柱状材料の溝に挿入して当該工具の上記凹状の曲面を溝の開口縁角部分に押圧しながら、当該工具を溝に沿って転動して、上記曲面によるＲ面取りを行うようになっている。
【０００６】
この処理方法では、Ｒ面取りのために凹状曲面によって溝の開口縁角部分が押圧されると、該部分の材料が側方へ押しやられるために、それがロータの外周面から盛り上がってしまう虞がある。本願発明者は、エアモータの性能の向上を図るため、偏心量をなるべく大きくしてロータの外周面をロータ内周面になるべく近づける設計を試みた結果、上述のロータ外周面での盛り上がりが微小ではあるが支障となることを知見した。
【０００７】
本発明は、このような知見に基づきなされたものであり、ロータ外周面での材料の盛り上がりを極力小さくするためのＲ面取り工具を提供することを目的とする。
【課題を解決するための手段】
【０００８】
すなわち、本発明は、
円柱状材料の外周面に長手軸線方向で開口し該外周面から半径方向に延びるように形成された溝の開口縁角部分にＲ面取りをするためのＲ面取り工具であって、
該溝内に該溝の該開口から挿入される突出部と、
該突出部の根本部分において両側面からそれぞれから凹状に湾曲しながら次第に側方に延びるＲ面取り用面、及び、該Ｒ面取り用面に続いて側方に延びる変形押圧面であって、該突出部を該溝内に挿入し、該Ｒ面取り用面を該開口縁角部分に押圧してＲ面取りを行ったときに、該面取りした部分よりも側方に離れた位置で該外周面に接するように延びる変形押圧面、を有する工具本体と、
を有する溝の開口縁角部分のＲ面取り工具を提供する。
【０００９】
この工具により開口縁角部分のＲ面取り処理をおこなうとき、開口縁角部分が溝から離れる方向で側方に変形され円柱状材料の外周面から盛り上がろうとしても、その盛り上がり部分は、円柱状材料の外周面と接するようになる押圧面と該外周面との間の空間内に閉じ込められた状態で該押圧面により押圧され、一定以上の盛り上がることが阻止される。ここで外周面と接するとは、物理的に完全に接することを必ずしも意味せず、押圧面によって押圧される盛り上がり部分が当該工具の押圧面と円柱状材料の外周面の間の空間から押し出されるのを実質的に防止する程度に接近した状態をも含むものである。このようなＲ面取り工具を用いて前述のようなロータが作られた場合、その外周面に一定以上の盛り上がり部分が生じるのを防止できるので、そのような防止ができない場合に較べて、該ロータをロータ室内でより大きく偏心設定し、ロータの外表面をロータ室の円筒状内周面により近づけることができ、当該ロータを用いた回転流体装置の性能を向上させることが可能となる。
【００１０】
具体的には、
該突出部の両側面を平滑な面とし、該両側面間の間隔が該溝の幅よりも大きく、該突出部が該溝内に挿入されたときに、該両側面が該溝両側壁面を押圧して該溝側壁面を平滑にするようにすることができる。
【００１１】
この場合、該突出部の先端部を先細りとし、その先端面の幅を該溝の幅より小さくなるようにして、突出部を溝へ挿入するときに、開口縁角部分を溝内に押し込む方向で変形させたりするのを回避することができるようにすることが好ましい。
【００１２】
更に、
該Ｒ面取り工具が、
中心軸線を中心にした円形外周面を有する工具本体と、
該工具本体の該円形外周面の幅方向中央部分から当該工具本体の半径方向外側に突出して環状とされた該突出部と
を有し、
該環状とされた突出部の根本部分においてその両側面から側方に延びる該円形外周面に、該Ｒ面取り用面と該変形押圧面とを形成するようにすることができる。
【００１３】
このようにした場合、当該Ｒ面取り工具は、その突出部を溝に挿入し、工具本体の円形外周面を円柱状部材の外周面に押し付けるようにしながらその長手方向で転がすことにより、開口縁角部分のR面取りを行うことができる。
【００１４】
更に、該工具の変形押圧面が、該開口縁角部と平行に延びる線に沿って該円柱状材料の外周面と接するようにすることができる。ただし、変形押圧面は上述の機能を奏するためのものであり、必ずしも上記平行に延びる線に沿って上記外周面と接触するようにする必要は無い。
【００１５】
以下、本発明に係るＲ面取り工具の実施形態を添付図面に基づき説明する。
【図面の簡単な説明】
【００１６】
【図１】本発明に係るＲ面取り工具の加工対象となるロータを備えたベーン式エアモータの縦断側面図である。
【図２】図３のII-II線に沿って見た図である。
【図３】図２のIII-III線に沿って見た図である。
【図４】図１のベーン式エアモータにおけるベーンと、該ベーンを収納するためにロータに形成されたベーン収納溝とを示す要部拡大断面図である。
【図５】本発明に係るＲ面取り工具の正面図である。
【図６】図５の円で囲んだ部分の拡大断面図であり、環状突出部及びその根本から側方に側方に延びるＲ面取り用面及びそれに続く変形押圧面を示す。
【発明を実施するための形態】
【００１７】
図１に示すベーン式エアモータ（回転流体装置）１０は、円筒状内周面１１（図２）を有する筒状体１４及び該筒状体の両端に設けられた第１及び第２端壁１６，１８を有し、内部にロータ室１９が形成されたロータハウジング２０と、該ロータ室内で偏心して設けられたロータ２２と、該ロータに取り付けられた複数のベーン２４と、ロータの両端から該ロータの回転軸線に沿って延び、それぞれ第１及び第２の端壁によって支持される支持軸部２８及び出力軸部２６とを有し、該支持軸部２８の端部にはガバナー３０が取り付けられている。出力軸部２６はベベルギア３４を介して円盤状の研磨部材３２の回転シャフト３６に駆動連結されている。
【００１８】
回転シャフト３６、ベーン式エアモータ１０、及び、ガバナー３０は当該空気式グラインダの複数のケーシング部品３８−１〜３８−３からなるケーシング３８内に収納されている。ケーシング部品３８−３は、図示しないエアポンプに連結されたホース４０を介して圧搾空気を受け入れるようにされており、受け入れた圧搾空気は、ケーシング部品３８−２を貫通する連通孔４２を介して、ケーシング部品３８−２と第１端壁１６とによってガバナー３０の周りに形成された圧搾空気供給室４４に供給され、この圧搾空気は、更に、第１端壁１６及び筒状体１４の、図１で見て上方位置に設けられた給気孔４６，４８を介してロータ室に供給されてベーン２４に作用してロータ２２を回転させ、研磨部材３２を回転駆動するようになっている。ベーン２４に作用した圧搾空気は、排気孔４９及び図示しないケーシングに設けられた排気通路を介してケーシング外へ排出されるようになっている。
【００１９】
図１においては給気孔４８と排気孔４９とは、説明上、直径方向で相互に対向するように描かれているが、実際には、図２及び図３から分かるように、給気孔４８は、筒状体の周方向において間隔をあけて複数設けられており、また、排気孔４９は、直径方向の対向する位置からは、ずれた位置に複数設けられている。給気孔４８は、筒状体１４の軸線方向の略中央位置において、周方向に延びるように設けられた１つの空気供給開口６１(図２)を介してロータ室１９に連通されている。
【００２０】
排気孔４９の空気排出開口５０は、図２で見て、空気供給開口６１の設けられている略右半部ではなく、左半部に図３に示す如き配列で設けられている。すなわち、これら空気排出開口５０は、筒状体１４の軸線方向の略中央位置で、図３で見て上方の位置に大径の空気排出開口５０−１が１つ設けられ、その左右両側にそれぞれ３つの小径の空気排出開口５０−２が全体として雁行形となるように配置され、更に、中央位置の図３で見て下方位置には追加の大径の空気排出開口５０‐３が形成されている。
【００２１】
図４に示すように、ベーン２４の耐久性をよくするために、ロータ２２に形成したベーン収納溝２１の開口縁角部分２１−１はＲ面取りがしてある。すなわち、このエアモータにおいて圧搾空気が供給されてロータが矢印Ｂ方向で示す方向に回転されるとベーンはロータハウジングの円筒状内周面１１と摺動しながら回転するので矢印Ａで示す方向での力を受ける。このため、ベーンは僅かではあるが傾斜した状態でベーン収納溝２１内を半径方向で出入りする。従って、ベーンの側面は、ベーン収納溝の開口縁角部分２１−１に対し押圧された状態で摺動することになり、該側面に磨耗が生じ、同側面に僅かではあってもえぐれが生じることになる。そのようなえぐれが生じると、回転によって該ベーンにかかる衝撃の影響をうけ亀裂が生じやすくなる。開口縁角部分２１−１のＲ面取りは、そのような磨耗によるえぐれを低減するものである。
【００２２】
図５は、上述のベーン収納溝２１の開口縁角部分２１−１のＲ面取りを行うための本発明に係る面取り工具６０を示している。この面取り工具６０は、全体としては略円盤状又は円筒状とされた工具本体６２と、工具本体６２の外周面６３の幅方向中央から突出する環状突出部６４とを有する。この面取り工具６０は、図示しない加圧移動装置により工具本体６２の中心軸線Ｃを中心に回転可能に支持され、（鋼材からなる円柱状のロータ材料に対して、その外周面に長手軸線方向で開口し該外周面から半径方向に延びるように形成されたベーン収納溝２１を形成して用意された）ロータ材料Ｘ（図６）に対して、該ベーン収納溝２１に沿って当該面取り工具を転動し、該ベーン収納溝２１の開口縁角部分２１−１を押圧して上述のＲ面取りをするためのものである。
【００２３】
具体的には、環状突出部６４は、ベーン収納溝２１の両側壁面２１−２間の幅に実質的に等しい間隔が開けられた相互に平行な一対の平滑側面６４−１を有し、その先端部分６４−２は先細りとされ、当該環状突出部６４がベーン収納溝２１内に入りやすいようにしてある。工具本体６２の外周面６３は、環状突出部６４の根本部分の両側の平滑側面６４−１からそれぞれ次第に凹状に湾曲しながら側方に延びるＲ面取り用面６３−１と、該Ｒ面取り用面に続いて側方に延びる変形押圧面６３−２とを有する。
【００２４】
変形押圧面６３−２は、平滑側面６４−１に対して該平滑側面６４−１から離れるに従ってロータ材料Ｘの方に近づくように僅かに角度付けられており、Ｒ面取り面６３−１によって押圧され変形される開口縁角部分２１−１の材料が、側方に押し出されロータ材料Ｘの円筒状外周面Ｘ−２に生じようとする盛上りＸ−１を押圧して、その盛り上がりを抑制するようにする。これは前記特許文献２に開示されているバニシング工具とされるＲ面取り工具においては、工具本体の外周面が平滑側面６４−１に対して直角とされているのとは異なる特徴である。
【００２５】
要するに、本発明に係る面取り工具６０においては、Ｒ面取りに伴って変形されロータ材料Ｘの円筒状外周面Ｘ−２に生じようとする盛上りＸ−１を、該円筒状外周面Ｘ−２と変形押圧面６３−２との間にできる微小な間隙内で当該盛り上がり部分を押圧し、過度の盛り上がりを抑制するものである。このようにすることにより、そのような盛り上がりを抑えられない場合に較べて、当該ロータをロータ室の内周面により近づけて設定することが可能となり、従って、該ロータを備えた回転流体装置の性能を向上させることが可能となる。
【００２６】
Ｒ面取りを行う場合、変形される材料がベーン収納溝２１内に押し出されてベーン収納溝２１の側壁面に凹凸が生じる場合もある。このよう凹凸を防ぐためには、環状突出部６４の幅を、ベーン収納溝２１の幅より僅かに大きくして、該環状突出部６４がベーン収納溝２１内に押し入れられたときに、平滑側面６４−１でベーン収納溝の側壁面２１−２を押圧することが好ましい。
【００２７】
以上、本発明に係る開口縁角部分のＲ面取りを行うための工具を、ベーン付きロータのベーン収納溝に用いる場合を例として説明したが、本願発明がこれに限定されるものではなく、長手方向に延びる溝を備える円柱状のロータ材料の開口縁角部分のＲ面取りに使用することができる。
【符号の説明】
【００２８】
ベーン式エアモータ（回転流体装置）１０：円筒状内周面１１；筒状壁１４；第１端壁１６；第２端壁１８；ロータ室１９；モータハウジング２０；ベーン収納溝２１；開口縁角部分２１−１；ロータ２２；ベーン２４；出力軸部２６；支持軸部２８；ガバナー３０；研磨部材３２；ベベルギア３４；回転シャフト３６；ケーシング部品３８−１〜３８−３；ケーシング３８；ホース４０；連通孔４２；圧搾空気供給室４４；給気孔４６，４８；排気孔４９；空気排出開口５０、５０−２，５０−２、５０−３；面取り工具６０；工具本体６２；外周面６３；環状突出部６４；平滑側面６４−１；先端部分６４−２；Ｒ面取り用面６３−１；変形押圧面６３−２；ロータ材料の盛上りＸ−１；ロータ材料の円筒状外周面Ｘ−２
【図１】
0005959251.tif 000002
【図２】
0005959251.tif 000003
【図３】
0005959251.tif 000004
【図４】
0005959251.tif 000005
【図５】
0005959251.tif 000006
【図６】
0005959251.tif 000007